(57)【要約】【課題】従来に比べ、ダイヤル式の操作部から回路基板に伝わる衝撃を軽減する。【解決手段】スピーカ装置１は、軸部６４１及び軸部分６４１と異なる位置にサポート部６４２を有するダイヤルノブ６４と、ダイヤルノブ６４の軸部６４１との間に軸部６４１の軸方向に沿って第１の隙間Ｇ１を介在させたインナーケース３の平板部３１と、ダイヤルノブ６４と平板部３１との間に軸部６４１を避けつつ配置され、ダイヤルノブ６４のうちのサポート部６４２との間に軸部６４１の軸方向に沿って第１の隙間Ｇ１よりも大きい第２の隙間Ｇ２を介在させた回路基板６１とを備える。【選択図】図３
2019114441.tif 000002
【特許請求の範囲】
【請求項１】
軸部分及び前記軸部分と異なる位置にサポート部を有する操作部と、
前記操作部の前記軸部分との間に、前記軸部分の軸方向に沿って第１の隙間を介在させた支持部と、
前記操作部と前記支持部との間に前記軸部分を避けつつ配置され、前記操作部のうちの前記サポート部との間に、前記軸方向に沿って前記第１の隙間よりも大きい第２の隙間を介在させた回路基板と、
を備える電子機器。
【請求項２】
前記操作部は、前記軸部分を中心として回動自在であり、
前記サポート部は、前記軸部分の周囲に設けられている請求項１に記載の電子機器。
【請求項３】
前記回路基板に実装されたロータリーエンコーダを備え、
前記操作部は前記ロータリーエンコーダに連結されており、
前記第１の隙間は、前記操作部に外部から衝撃が作用した場合に、当該操作部から前記ロータリーエンコーダを介して前記回路基板に伝わる荷重が所定値を超える前に前記操作部が前記支持部に当接するように設定されている請求項１又は請求項２に記載の電子機器。
【請求項４】
筐体と、
前記筐体内の空間を第１空間と第２空間とに仕切る仕切部材と、を備え、
前記操作部及び前記回路基板が前記第１空間内に配置され、
前記仕切部材が前記支持部として機能する請求項１から請求項３のいずれか一項に記載の電子機器。
【請求項５】
前記第２空間は、そのいずれかの面にスピーカユニットが配置された空気室であり、
前記仕切部材は、前記第２空間内に立設されたボス部を有し、
前記筐体は、前記ボス部と対向する面から前記第２空間内に立設されて前記ボス部に締結される固定部を有している請求項４に記載の電子機器。
【請求項６】
前記第１空間内に配置されるケース部材を備え、
前記回路基板は、前記ケース部材のうち前記第２空間側の端面に固定され、
前記操作部は、前記回路基板に実装されたロータリーエンコーダを介して当該回路基板に支持されつつ、前記ケース部材から前記第１空間に対して前記第２空間とは反対側に露出しており、
前記ケース部材は、前記回路基板及び前記操作部が取り付けられた状態で、前記筐体に固定されている請求項４又は請求項５に記載の電子機器。
【発明の詳細な説明】
【技術分野】
【０００１】
本発明は、電子機器に関する。
【背景技術】
【０００２】
従来、外部に突出したダイヤル式の操作部を有する電子機器が広く知られている。
この種の電子機器として、例えば特許文献１に記載のものでは、操作部の回転操作を検出したり、検出した操作内容に応じて機器の動作を制御したりする電子回路基板が設けられており、この電子回路基板がダイヤル式の操作部を支持する構造となっている。
【先行技術文献】
【特許文献】
【０００３】
【特許文献１】特開２００２−３６７４９１号公報
【発明の概要】
【発明が解決しようとする課題】
【０００４】
しかしながら、上記の従来技術では、外部に突出したダイヤル式の操作部が電子回路基板に支持されているため、外部から操作部に衝撃が加えられた場合に、この衝撃が電子回路基板に伝わって電子回路基板が破損するおそれがあった。
【０００５】
本発明は、以上のような事情に鑑みてなされたものであり、従来に比べ、ダイヤル式の操作部から回路基板に伝わる衝撃を軽減することができる電子機器の提供を目的とするものである。
【課題を解決するための手段】
【０００６】
上記目的を達成するために、本発明に係る電子機器は、
軸部分及び前記軸部分と異なる位置にサポート部を有する操作部と、
前記操作部の前記軸部分との間に、前記軸部分の軸方向に沿って第１の隙間を介在させた支持部と、
前記操作部と前記支持部との間に前記軸部分を避けつつ配置され、前記操作部のうちの前記サポート部との間に、前記軸方向に沿って前記第１の隙間よりも大きい第２の隙間を介在させた回路基板と、
を備える。
【発明の効果】
【０００７】
本発明によれば、従来に比べ、ダイヤル式の操作部から回路基板に伝わる衝撃を軽減することができる。
【図面の簡単な説明】
【０００８】
【図１】実施形態におけるスピーカ装置の斜視図である。
【図２】実施形態におけるスピーカ装置の三面図である。
【図３】（ａ）は、図２（ｂ）のIV−IV線でのスピーカ装置の断面図であり、（ｂ）は、（ａ）を斜め前方から見た断面斜視図である。
【図４】実施形態におけるスピーカ装置のリアケースを斜め後方から見た斜視図である。
【図５】実施形態の変形例におけるスピーカ装置のリアケースを斜め後方から見た斜視図である。
【発明を実施するための形態】
【０００９】
以下、図１〜図９を参照して、本発明に係る電子機器をスピーカ装置（スピーカシステム）に適用した場合の実施形態について説明する。
なお、以下に述べる実施形態には、本発明を実施するために技術的に好ましい種々の限定が付されているが、本発明の範囲を以下の実施形態及び図示例に限定するものではない。
【００１０】
図１は、本実施形態におけるスピーカ装置１の斜視図であり、図２は、スピーカ装置１の三面図であって、（ａ）が平面図、（ｂ）が正面図、（ｃ）が右側面図である。また、図３（ａ）は、図２（ｂ）のIV−IV線でのスピーカ装置１の断面図であり、図３（ｂ）は、図３（ａ）を斜め前方から見た断面斜視図であり、図４は、スピーカ装置１のリアケース２を斜め後方から見た斜視図である。
図１〜図３に示すように、本実施形態におけるスピーカ装置１は、正面視六角形の略六角錐台形状に形成されたアンプ内蔵のアクティブスピーカである。また、スピーカ装置１は、近距離無線通信規格のBluetooth（登録商標）に対応したBluetoothスピーカであり、同様にBluetoothに対応した各種デジタル機器からワイヤレスで音声データを再生可能となっている。
なお、以下の説明では、「上」「下」「前」「後」「左」「右」の各方向の記載を、スピーカ装置１の正面方向を前側、後述の入力部２２を有する面の側を上側とした場合の各方向を指すものとして、図面の記載と対応させて用いることとする。また、「径方向」や「周方向」との記載や、これらに類する記載は、特に断りのない限り、前後方向に沿ったスピーカ装置１の中心軸Ａｘを基準にした方向を指すものとする。
【００１１】
具体的に、スピーカ装置１は、前面が開口したリアケース２を備えている。
リアケース２は、六角形の正面視形状が後方に向かうに連れて次第に縮小した略六角錐台形状に形成されている。
リアケース２の正面視形状は、より正確には、短辺と長辺とが交互に連なった３回回転対称の六角形状をなしている。
【００１２】
また、リアケース２は、スピーカ装置１の外表面のうち、前面１ａを除く全ての面、すなわち、上下を含む周囲６つの側面（上面２ａ、下面２ｂ、左右２つの上側側面２ｃ、左右２つの下側側面２ｄ）と、後面（背面）２ｅとを有している。６つの側面のうち、上面２ａと２つの下側側面２ｄとが正面視で短辺を含む面であり、下面２ｂと２つの上側側面２ｃとが正面視で長辺を含む面である。
【００１３】
リアケース２の上面２ａには、主にユーザの各種操作を受け付ける入力部２２が設けられている。入力部２２には複数のボタン２２１が設けられている。これら複数のボタン２２１には、例えば、電源ボタンや音量ボタン、後述のＬＥＤ５１１、６１１を点消灯するライトＯＮ／ＯＦＦボタン、Bluetoothのペアリングを行うペアリングボタン、音響モードを切り替えるモード切替ボタンなどが含まれる。また、入力部２２には、図示は省略するが、ＵＳＢ（Universal Serial Bus）端子、音声入力端子などの各種端子が設けられている。
【００１４】
リアケース２の左右２つの上側側面２ｃには、フルレンジ（全帯域用）のスピーカユニットであるスピーカ部３６がそれぞれの内側に配置されている。
具体的には、後述するように、リアケース２内部のインナーケース３が、リアケース２のものと対応する６つの側面（側板）を有しており、リアケース２の各上側側面２ｃの内側に配置されたインナーケース３の各上側側板３ｃに、スピーカ部３６が設けられている（図４参照）。リアケース２の各上側側面２ｃには多数の音孔（図示省略）が形成されており、これらの音孔を通じてスピーカ部３６の音がリアケース２外に出力されるようになっている。
【００１５】
リアケース２の左右２つの下側側面２ｄには、低音増強用の音響補助部であるパッシブラジエータ（ドロンコーン）３７がそれぞれの内側に配置されている。
具体的には、後述するように、リアケース２内部のインナーケース３のうち、リアケース２の各下側側面２ｄの内側に配置された各下側側板３ｄに、パッシブラジエータ３７が設けられている（図４参照）。リアケース２の各下側側面２ｄには多数の音孔（図示省略）が形成されており、これらの音孔を通じてパッシブラジエータ３７の音がリアケース２外に出力されるようになっている。
【００１６】
リアケース２の下面２ｂは、スピーカ装置１を立てて設置する場合の設置面となっており、図示しない複数のゴム足が配設されている。
リアケース２の後面２ｅは、スピーカ装置１を寝かせて設置する場合の設置面となっており、図示しない複数のゴム足が配設されている。この後面２ｅの下端には、電源端子（ＤＣジャック）２４が設けられている。この電源端子２４にはＬ字状の電源プラグ（図示省略）が挿入されるようになっており、挿入状態では図示しないゴム足よりも突出高さが低い。そのため、後面２ｅを設置面としてスピーカ装置１を寝かせる場合でも、電源プラグが地面に接触するようなことはない。
また、リアケース２内部の底面中央には、後述のインナーケース３を固定するための固定部２５が前方へ立設されている。この固定部２５の先端には、ネジ２６を挿通させるネジ穴が形成されている。
【００１７】
このように、スピーカ装置１の外表面は、互いの向きが異なる前面１ａと、リアケース２の６つの側面（上面２ａ、下面２ｂ、左右２つの上側側面２ｃ、左右２つの下側側面２ｄ）及び後面２ｅとから構成されている。そして、これら複数の面には、スピーカ部３６が配置された面（上側側面２ｃ）と、パッシブラジエータ３７が配置された面（下側側面２ｄ）とが重複することなく個別に割り当てられており、本実施形態においては、これらに加えてさらに、操作手段（入力部２２及び後述のダイヤル式スイッチ６）が配置された面（上面２ａ及び前面１ａ）と、設置面（下面２ｂ及び後面２ｅ）も、互いに重複することなく個別に割り当てられている。
このようにして多角形の複数の面に個別に機能面を配置した方が、１つの大きな面に複数の機能面をまとめて配置する場合に比べ、装置全体としてコンパクトに構成することができる。
また、スピーカ部３６が配置された２つの上側側面２ｃ（インナーケース３の上側側板３ｃ）が互いに平行でないので、これら２つのスピーカ部３６が互いの音声を打ち消し合うことがない。
また、リアケース２の６つの側面のうち、正面視で長辺を含む３つの側面に、スピーカ部３６が配置された２つの上側側面２ｃと、設置面である下面とが個別に割り当てられ、正面視で短辺を含む３つの側面に、入力部２２が配置された上面２ａが割り当てられている。これにより、スピーカ部３６の配置面積や、安定した設置のための設置面積などの比較的に大きな面積が必要な面を大きく確保しつつ、全体としてコンパクトに構成することができる。
【００１８】
なお、リアケース２の各面を含むスピーカ装置１の外表面の形状は、上述したものに限定されない。例えば、リアケース２の６つの側面が前後方向に対して傾斜していなくともよいし、リアケース２の正面視形状が六角形状でなくともよい。但し、リアケース２（スピーカボックス）の剛性を担保するためには、リアケース２は正面視形状が五角形以上の凸多角形状であることが好ましい。
また、スピーカ装置１の外表面は、互いの向きが異なる６つ以上８つ以下の面で構成されていることが好ましい。この場合、スピーカ装置１の外表面のうち、少なくとも５つの面には、スピーカ部３６、パッシブラジエータ３７及びユーザインターフェース部のいずれかが配置されており、それ以外の面のうち少なくとも１つの面が設置面であることがより好ましい。
また、スピーカ装置１の外表面を構成する複数の面は、互いの主たる向き（方向）が異なっていれば平坦な面に限定されず、例えば曲面であってもよい。また、部分的に細かい凹凸があってもよい。また、面全体が部分的に角度の異なる複数の面部分で構成されていても、それらの複数の面部分を包絡した面である包絡面が略平坦な面とみなせればよい。
また、スピーカ部３６が配置された面と、パッシブラジエータ３７が配置された面と、入力部２２が配置された面と、設置面との、スピーカ装置１の外表面を構成する複数の面への割り当ては、本実施形態のものに限定されず、互いに重複することなく個別に割り当てられていればよい。
【００１９】
図３及び図４に示すように、リアケース２の内部には、インナーケース３と、フロントケース４とが収容されている。
このうち、インナーケース３は、略平板状の平板部３１と、平板部３１の周縁部から後方に立設された６つの側板（上板３ａ、下板３ｂ、左右２つの上側側板３ｃ、左右２つの下側側板３ｄ）とを有する、後方に開口した形状に形成されている。平板部３１は、リアケース２の正面視形状（開口形状）に対応した六角形の略平板状に形成されており、６つの側板は平板部３１周縁の各辺から後方へ垂直に立設されている。
６つの側板は、リアケース２の６つの側面に対応しており、対応する側面と対向している。このうち、左右２つの上側側板３ｃには上述のスピーカ部３６がそれぞれ設けられており、左右２つの下側側板３ｄには上述のパッシブラジエータ３７がそれぞれ設けられている。また、下板３ｂは内側へ凹状に形成されており、この凹部に電源端子２４用の基板３８が設けられている（図４では図示省略）。
【００２０】
インナーケース３は、後面の開口をリアケース２の底面に閉塞されている。これにより、スピーカ部３６及びパッシブラジエータ３７を含む閉塞空間がリアケース２とインナーケース３とで画成され、当該閉塞空間がスピーカ装置１の空気室Ｓ１となっている。換言すれば、インナーケース３（平板部３１）は、リアケース２内の空間を、主にスピーカ部３６及びパッシブラジエータ３７以外の電子部品が配置された部品配置空間Ｓ３と、空気室Ｓ１とに仕切っている。
【００２１】
インナーケース３のうち、平板部３１の後面中央には、ボス３９が立設されている。このボス３９の先端（後端）には、リアケース２の固定部２５が嵌合されたうえで、当該固定部２５がネジ２６で締結されている。
そのため、リアケース２とインナーケース３とが強固に固定され、これらからなるスピーカボックスの剛性が向上する。これにより、スピーカボックスが外力等の影響を受けにくくなり、音質を向上させることができる。
【００２２】
フロントケース４は、図１〜図３に示すように、リアケース２の内部のうち、インナーケース３よりも前方の部品配置空間Ｓ３に配置されている。
フロントケース４の前面中央には、ボリューム又はモードセレクタのダイヤル式スイッチ（操作部）６が設けられている。
ダイヤル式スイッチ６は、回路基板６１と、ロータリーエンコーダ６２と、ダイヤルホルダー６３と、ダイヤルノブ６４とを備えて構成されている。
回路基板６１は、スピーカ装置１の主たる制御回路等が実装されており、平板状に形成されてフロントケース４の後面に固定されている。回路基板６１の中央には、ダイヤルノブ６４の軸部６４１を挿通可能な円形の穴６１ａが形成されている。
回路基板６１上には、中空軸タイプのロータリーエンコーダ６２が表面実装されている。ロータリーエンコーダ６２の外周側にはダイヤルホルダー６３が回動自在に設けられている。ダイヤルホルダー６３には、その前側と外周側を覆うように略円筒状のダイヤルノブ６４が嵌められている。
ダイヤルノブ６４の内側の後面中央であってその回動中心には、後方へ突出した軸部６４１が設けられている。この軸部６４１は、ダイヤルホルダー６３及びロータリーエンコーダ６２の内側を通って回路基板６１の穴６１ａ内に挿通され、インナーケース３の平板部３１との間に前後方向に第１の隙間Ｇ１を介在させている。また、ダイヤルノブ６４のうち、軸部６４１の周囲に位置するその外周部後端は、ロータリーエンコーダ６２よりやや大きい径に形成されて当該ロータリーエンコーダ６２をサポートするサポート部６４２となっている。このサポート部６４２は、回路基板６１との間に、第１の隙間Ｇ１よりも大きい第２の隙間Ｇ２を前後方向に沿って介在させている。
このような構成により、本実施形態のダイヤル式スイッチ６は、ユーザがダイヤルノブ６４を回動させると、その回動量又は回動位置をロータリーエンコーダ６２により検出し、この回動量又は回動位置に応じて音量を変えたり音響モードを切り替えたりできるようになっている。但し、ダイヤル式スイッチ６の機能は、音量変化や音響モードの切り替えに限定されず、部品配置空間Ｓ３に配置された電子部品（回路基板６１、ＬＥＤ５１１等）による処理の実行で実現されるものであればよい。
【００２３】
このように、回路基板６１が、ダイヤル式スイッチ６（ダイヤルノブ６４）とインナーケース３の平板部３１との間にダイヤルノブ６４の軸部６４１を避けつつ配置され、平板部３１と軸部６４１との間の第１の隙間Ｇ１よりも大きい第２の隙間Ｇ２を、ダイヤルノブ６４のサポート部６４２との間に介在させている。
そのため、ダイヤル式スイッチ６がどこかにぶつけられるなどして先端に衝撃を受け、この衝撃でダイヤルノブ６４が後方に移動した場合でも、ダイヤルノブ６４の軸部６４１が最初に平板部３１の前面に当接する。これにより、ダイヤルノブ６４のサポート部６４２と回路基板６１との接触を回避して、ダイヤルノブ６４から回路基板６１に伝わる衝撃を軽減することができる。
但し、ダイヤルノブ６４が衝撃を受けた場合には、この衝撃はダイヤルホルダー６３及びロータリーエンコーダ６２を介して回路基板６１に伝わる。そのため、この経路で伝わる衝撃力が回路基板６１の強度的に許容される所定値を超える前に、ダイヤルノブ６４の軸部６４１が平板部３１の前面に当接するように、これらの間の第１の隙間Ｇ１が設定されている。
【００２４】
フロントケース４の前面外周側は、外周側発光部Ｌ２となっている。
外周側発光部Ｌ２では、フロントケース４の外周部がＬＥＤケース５１となっている。
ＬＥＤケース５１は、リアケース２の前面開口に対応した正面視形状に形成されている。このＬＥＤケース５１は、前面が開口されており、複数のＬＥＤ５１１が実装されたＬＥＤ基板５１２が後面に固定されている。ＬＥＤ基板５１２は、後述する透明板５２の傾斜板部５２１に対応するように設けられている。複数のＬＥＤ５１１は、径方向に３列に並設されつつＬＥＤケース５１の外形に沿って配列されている。各ＬＥＤ５１１は、本実施形態では、ＲＧＢ（赤、緑、青）の３色のチップが搭載されたフルカラーＬＥＤである。ＬＥＤケース５１内（すなわち、後述の透明板５２とＬＥＤ基板５１２との間）には、複数のＬＥＤ５１１の各列を仕切るように仕切り板５１３が立設されており、この仕切り板５１３の両面や、内周壁及び外周壁のＬＥＤ５１１側の内面には、ＬＥＤ５１１の光を好適に反射させる反射表面処理が施されている。この仕切り板５１３は、前方に向かうに連れて厚さが次第に薄くなるように形成されている。また、仕切り板５１３は、後述の透明板５２（傾斜板部５２１）とＬＥＤ基板５１２との間隔が異なる複数の部分それぞれに対応する長さで、ＬＥＤ基板５１２から直立するようにして設けられている。この仕切り板５１３により、各ＬＥＤ５１１から照射される光が透明板５２上の異なる位置に照射されるようになっている。
ＬＥＤケース５１の前面開口は、透過性を有する透明板（パネル）５２によって覆われている。透明板５２は、やや内側の方が高くなるように傾斜しつつ、ＬＥＤケース５１に対応した正面視形状に形成されている。この透明板５２は、周上に沿って一様な傾斜角度で前後に傾斜した３つの傾斜板部５２１を周方向に連ねた形状に形成されている。各傾斜板部５２１は正面視で一の頂点からその２つ先の頂点までの中心角１２０°の範囲となっており、最も高い部分が、隣接する他の傾斜板部５２１の最も低い部分に段差を有して繋がるようにして互いに連なっている。また、透明板５２は、３つの傾斜板部５２１の各々に、複数のＬＥＤ５１１の配列に対応してその前方に設けられた３列の光透過部５２ａを有しており、この光透過部５２ａからのみ光を透過させるようになっている。こうして、３つの傾斜板部５２１の表面が、光を外部に出射する主面の角度が互いに異なる３つの発光面（光出射面）５ａとなっている。ここで、３つの発光面５ａは、スピーカ装置１の外周側における前端面を構成するものとする。
なお、透明板５２は、半透明であり、ＬＥＤ５１１からの光を拡散することにより、その表面に発光面（光出射面）を形成する。拡散の度合いを高くする（透明度を低くする）ことにより、どの方向から発光面（光出射面）を見た場合であっても、発光面（光出射面）の明るさや光り方を均一にすることができる。
また、透明板５２の透明度を高くすることで、発光面（光出射面）の明るさや光り方は均一にはならないが、スピーカ装置１が設置された部屋の中（例えば天井など）を照らすようにしてもよい。
なお、透明板５２は、アクリルやポリカーボネートなどの透明度の高い板の内面がアルミ蒸着されたハーフミラーであってもよい。これにより、内部からの光は外部に照射されるが、外部からは内部の構造が見えないようすることができ、デザイン性を向上させることができる。
【００２５】
このような構成により、外周側発光部Ｌ２は、複数のＬＥＤ５１１から前方に出射した光を透明板５２の光透過部５２ａを通じて前方に照射させ、スピーカ装置１の前面外周側の３つの発光面５ａを発光させる。この外周側発光部Ｌ２は、本実施形態では演出用の発光部であり、例えば出力中の音声の音響モード等に応じた色や強さ等で複数のＬＥＤ５１１を発光させる。
フロントケース４は、外周側発光部Ｌ２を構成するＬＥＤ基板５１２や透明板５２が外周部に取り付けられ、回路基板６１やダイヤルノブ６４を含むダイヤル式スイッチ６が内周部に取り付けられてユニット化された状態で、インナーケース３が組み付けられたリアケース２に固定される。これにより、簡便に組立を行うことができる。
【００２６】
ここで、３つの発光面５ａは、互いの面の角度（すなわち向き）が異なっており、スピーカ装置１の前面１ａから突出して設けられたダイヤル式スイッチ６の周囲を囲むように設けられている。そのため、スピーカ装置１の周囲の広い範囲（本実施形態では略３６０°）から発光面５ａを視認できるとともに、ダイヤル式スイッチ６を操作することができる。したがって、特定の方向からのみインジケータの視認性と操作部の操作性が良好であった従来に比べ、発光面５ａの視認性とダイヤル式スイッチ６の操作性とを向上させることができる。
また、設置面をリアケース２の下面２ｂと後面２ｅとに変えることにより、ダイヤル式スイッチ６が設けられた前面１ａの向きを横方向と上方とに変えて、発光面５ａの視認性とダイヤル式スイッチ６の操作性とが良好なものとなる方向を、所望の方向に変化させることができる。
また、３つの発光面５ａは、上述のとおり各々がダイヤル式スイッチ６の突出方向（前後方向）に対して傾斜しているとともに、各々の最も高い部分を結んだ位置Ｐ１がダイヤル式スイッチ６の先端よりも高くなっている（すなわち、前側に位置している）。そのため、例えばスピーカ装置１を前面から落下させるなどした場合であっても、主に３つの発光面５ａが床などに接触し、ダイヤル式スイッチ６が衝撃を受けることを防ぐことができる。ひいては、ダイヤル式スイッチ６先端部のダイヤルノブ６４に連結された回路基板６１の破損を抑制することができる。
さらに、３つの発光面５ａは、各々の最も低い部分を結んだ位置Ｐ２がダイヤル式スイッチ６の先端よりも低くなっている（すなわち、後側に位置している）。これにより、ユーザは、３つの発光面５ａのうちダイヤル式スイッチ６の先端よりも低い部分を通じてダイヤル式スイッチ６を把持しやすくなるため、ダイヤル式スイッチ６の操作性が向上する。
【００２７】
なお、発光面５ａは、複数であればその数量は特に限定されないが、少なくとも３つ設けられていることが好ましい。また、複数の発光面５ａは、ダイヤル式スイッチ６の周囲に周上等配に設けられていることが好ましい。これらにより、ダイヤル式スイッチ６への衝撃をより確実に防ぐことができる。
また、発光面５ａの傾斜角度や幅などの形状も特に限定されず、所望の視認範囲やデザイン性などに応じたものとしてよい。
【００２８】
以上のように、本実施形態のスピーカ装置１によれば、回路基板６１が、ダイヤル式スイッチ６（ダイヤルノブ６４）とインナーケース３の平板部３１との間にダイヤルノブ６４の軸部６４１を避けつつ配置され、平板部３１と軸部６４１との間の第１の隙間Ｇ１よりも大きい第２の隙間Ｇ２を、ダイヤルノブ６４のサポート部６４２との間に介在させている。
そのため、ダイヤル式スイッチ６がどこかにぶつけられるなどして先端に衝撃を受け、この衝撃でダイヤルノブ６４が後方に移動した場合でも、ダイヤルノブ６４の軸部６４１が最初に平板部３１の前面に当接する。
これにより、ダイヤルノブ６４のサポート部６４２と回路基板６１との接触を回避することができるため、回路基板がダイヤル式の操作部を支持していた従来に比べ、ダイヤルノブ６４から回路基板６１に伝わる衝撃を軽減することができ、ひいては回路基板６１の破損を抑制することができる。
【００２９】
また、ダイヤルノブ６４が衝撃を受けた場合に、ロータリーエンコーダ６２を介して回路基板６１に伝わる荷重が所定値を超える前にダイヤルノブ６４の軸部６４１がインナーケース３の平板部３１に当接するように、これらの間の第１の隙間Ｇ１が設定されている。
これにより、ダイヤルノブ６４から伝わる衝撃力が回路基板６１の強度的に許容される限界を超える前に、当該衝撃力をインナーケース３で受けることができるため、回路基板６１の破損をより一層抑制することができる。
【００３０】
また、インナーケース３の平板部３１の後面には空気室Ｓ１内にボス３９が立設されており、このボス３９には、当該ボス３９と対向するリアケース２内の底面から空気室Ｓ１内に立設された固定部２５が締結されている。
そのため、リアケース２とインナーケース３とが強固に固定され、これらからなるスピーカボックスの剛性が向上する。これにより、スピーカボックスが外力等の影響を受けにくくなり、音質を向上させることができる。
【００３１】
なお、以上本発明の実施形態について説明したが、本発明は、かかる実施形態に限定されず、その要旨を逸脱しない範囲で、種々変形が可能であることは言うまでもない。
【００３２】
例えば、上記実施形態では、インナーケース３の下側側板３ｄにパッシブラジエータ３７を設けることとしたが、図５に示すように、パッシブラジエータ３７に代えてバスレフポート７２ａを設けることとしてもよい。具体的には、インナーケース３の左右２つの下側側板３ｄにバスレフポート７２ａを設け、このバスレフポート７２ａを有するバスレフダクト７２を空気室Ｓ１内に立設させてもよい。
また、所望の低音増強効果に応じて、バスレフポート７２ａ（バスレフダクト７２）の長さを調整してもよい。
また、バスレフポート７２ａを設けた場合には空気室Ｓ１の内部に気流が生じるため、アルミダイカストや亜鉛ダイカストなどの放熱性（熱伝導率）の高い材料製とした場合には、インナーケース３による放熱効果がより高まり、回路基板６１の熱をより効率よく除去することができる。またこの場合には、図示は省略するが、インナーケース３のうち、空気室Ｓ１内のバスレフポートの開口部付近に、放熱フィンを設けることが好ましい。
また、上記実施形態において、フロントケースとインナーケースとの接続部は、ゴムなどの防振部材を用いて、空気室を形成するインナーケースの振動がフロントケースに伝わるのを防ぐようにしてもよい。
【００３３】
また、上記実施形態では、ダイヤルノブ６４の軸部６４１が回路基板６１の穴６１ａに挿通されて、インナーケース３の平板部３１前面と第１の隙間Ｇ１を介して対向していることとした。しかし、ダイヤルノブ６４の軸部６４１とインナーケース３とは、第１の隙間Ｇ１を介して対向していればよく、例えば、インナーケース３の平板部３１前面に突設部が設けられ、この突設部が回路基板６１の穴６１ａに挿通されてダイヤルノブ６４と対向していてもよい。
また、ダイヤルノブ６４の軸部６４１は、平板部３１との間に第１の隙間Ｇ１を介在させていればよく、ダイヤルノブ６４（ダイヤル式スイッチ６）の回動軸（回動中心）でなくともよい。
また、ダイヤルノブ６４のサポート部６４２は、軸部６４１と異なる位置に設けられて、回路基板６１との間に第１の隙間Ｇ１よりも大きい第２の隙間Ｇ２を介在させていればよく、ダイヤルノブ６４における位置は外周部後端に限定されない。
また、第２の隙間Ｇ２を第１の隙間Ｇ１よりも小さくした場合であっても、サポート部６４２に押されることにより撓む回路基板６１の撓み量が、回路基板６１を破損させるほどの撓み量でなければよい。これは、ダイヤルノブ６４に押されたロータリーエンコーダ６２が間接的に回路基板６１と接触する場合であっても、その結果生じる回路基板６１の撓み量が、回路基板６１を破損させるほどの撓み量でなければよい。
【００３４】
また、上記実施形態では、本発明に係る電子機器をスピーカ装置（スピーカシステム）に適用した例について説明したが、本発明に係る電子機器は、ダイヤル式の操作部を備えるものであればよく、スピーカ装置に限定されない。
【００３５】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
軸部分及び前記軸部分と異なる位置にサポート部を有する操作部と、
前記操作部の前記軸部分との間に、前記軸部分の軸方向に沿って第１の隙間を介在させた支持部と、
前記操作部と前記支持部との間に前記軸部分を避けつつ配置され、前記操作部のうちの前記サポート部との間に、前記軸方向に沿って前記第１の隙間よりも大きい第２の隙間を介在させた回路基板と、
を備える電子機器。
＜請求項２＞
前記操作部は、前記軸部分を中心として回動自在であり、
前記サポート部は、前記軸部分の周囲に設けられている請求項１に記載の電子機器。
＜請求項３＞
前記回路基板に実装されたロータリーエンコーダを備え、
前記操作部は前記ロータリーエンコーダに連結されており、
前記第１の隙間は、前記操作部に外部から衝撃が作用した場合に、当該操作部から前記ロータリーエンコーダを介して前記回路基板に伝わる荷重が所定値を超える前に前記操作部が前記支持部に当接するように設定されている請求項１又は請求項２に記載の電子機器。
＜請求項４＞
筐体と、
前記筐体内の空間を第１空間と第２空間とに仕切る仕切部材と、を備え、
前記操作部及び前記回路基板が前記第１空間内に配置され、
前記仕切部材が前記支持部として機能する請求項１から請求項３のいずれか一項に記載の電子機器。
＜請求項５＞
前記第２空間は、そのいずれかの面にスピーカユニットが配置された空気室であり、
前記仕切部材は、前記第２空間内に立設されたボス部を有し、
前記筐体は、前記ボス部と対向する面から前記第２空間内に立設されて前記ボス部に締結される固定部を有している請求項４に記載の電子機器。
＜請求項６＞
前記第１空間内に配置されるケース部材を備え、
前記回路基板は、前記ケース部材のうち前記第２空間側の端面に固定され、
前記操作部は、前記回路基板に実装されたロータリーエンコーダを介して当該回路基板に支持されつつ、前記ケース部材から前記第１空間に対して前記第２空間とは反対側に露出しており、
前記ケース部材は、前記回路基板及び前記操作部が取り付けられた状態で、前記筐体に固定されている請求項４又は請求項５に記載の電子機器。
【符号の説明】
【００３６】
１      スピーカ装置
２      リアケース
２５    固定部
３      インナーケース
３１    平板部
３６    スピーカ部
３９    ボス
４      フロントケース
６      ダイヤル式スイッチ
６１    回路基板
６１ａ  穴
６２    ロータリーエンコーダ
６３    ダイヤルホルダー
６４    ダイヤルノブ
６４１  軸部
６４２  サポート部
Ｇ１    第１の隙間
Ｇ２    第２の隙間
Ｓ１    空気室
Ｓ３    部品配置空間
【図１】
2019114441.tif 000003
【図２】
2019114441.tif 000004
【図３】
2019114441.tif 000005
【図４】
2019114441.tif 000006
【図５】
2019114441.tif 000007